(57)【要約】【課題】隣接する辺が湾曲する貼箱を提供する。【解決手段】貼箱は、天板１１１と、天板１１１の各辺に設けられる第１の半断線１０１Ａを介して接続する第１の外側面１０１Ｂと、第１の外側面１０１Ｂの第１の半断線１０１Ａに対抗する辺に設けられる第２の半断線１０２Ａを介して接続する第２の外側面１０２Ｂと、第２の外側面１０２Ｂの第２の半断線１０２Ａに対抗する辺に設けられる第３の半断線１０３Ａを介して接続する側壁１０４と、を備える貼箱本体１と、貼箱本体１に貼付される化粧紙２と、を備える。【選択図】図５
2018020827.tif 000002
【特許請求の範囲】
【請求項１】
天板と、
前記天板の各辺に設けられる第１の半断線を介して接続する第１の外側面と、
前記第１の外側面の前記第１の半断線に対抗する辺に設けられる第２の半断線を介して接続する第２の外側面と、
前記第２の外側面の前記第２の半断線に対抗する辺に設けられる第３の半断線を介して接続する側壁と、
を備える貼箱本体と、
前記貼箱本体に貼付される化粧紙と、
を備える貼箱。
【請求項２】
前記貼箱本体は、
展開図において、隣接する前記第１の半断線の第１接点から隣接する前記第２の半断線の第２接点を通り、一方の側壁の第２接点に直近の頂点に至る直線の中点に至る切り込みを有する請求項１に記載の貼箱。
【請求項３】
隣接する前記第２の外側面のうち一方の前記第２の外側面は、
他方の前記第２の外側面に接触する辺に閉塞片を有する請求項２に記載の貼箱。
【請求項４】
前記化粧紙は、
前記天板に貼付される天板部と、
前記側壁に折り返して貼付される折り返し部を有し、前記側壁に貼付される側壁部と、
隣接する前記側壁部の一方の辺に設けられるカバー部と、
を備える請求項１に記載の貼箱。
【発明の詳細な説明】
【技術分野】
【０００１】
本発明は、貼箱に関するものである。
【背景技術】
【０００２】
贈答品等を包装する箱は高級感のある貼箱がよく用いられる。この貼箱は、厚手のボール紙を折り曲げて箱本体を作り、この箱本体に化粧紙を貼付することにより製造される。
【０００３】
通常、貼箱は辺が全て直線である。さらに高級感を出すために、蓋部の天板に天板より大きさの小さいボール紙を複数枚貼付し、その後化粧紙を貼付することにより辺を見かけ上湾曲しているように見せる技術がある。
【０００４】
しかし、この技術によれば材料費も製造工数も、通常の貼箱より多くかかり、コストが高いものとなっていた。
【０００５】
この点に関し、一組の対抗する側面の辺のうち対抗する辺を湾曲させ、この辺に接触する側面を湾曲させることにより曲面をつくる技術が提案されている（例えば、特許文献１。）。
【０００６】
この技術によれば、一組の対抗する辺は湾曲させることができるが、他の辺は湾曲させることが困難である。
【先行技術文献】
【特許文献】
【０００７】
【特許文献１】特許第３４７８８１１号公報
【発明の概要】
【発明が解決しようとする課題】
【０００８】
本発明の解決しようとする課題は、隣接する辺が湾曲する貼箱を提供することである。
【課題を解決するための手段】
【０００９】
本発明は、天板と、前記天板の各辺に設けられる第１の半断線を介して接続する第１の外側面と、前記第１の外側面の前記第１の半断線に対抗する辺に設けられる第２の半断線を介して接続する第２の外側面と、前記第２の外側面の前記第２の半断線に対抗する辺に設けられる第３の半断線を介して接続する側壁と、を備える貼箱本体と、前記貼箱本体に貼付される化粧紙と、を備える貼箱を提供する。
【発明の効果】
【００１０】
本発明によれば、隣接する辺が湾曲する貼箱を提供することができる。
【図面の簡単な説明】
【００１１】
【図１】貼箱本体の正面図。
【図２】貼箱本体の右側面図。
【図３】貼箱本体の平面図。
【図４】貼箱本体の底面図。
【図５】蓋の展開図。
【図６】図５のＡの部分の拡大図。
【図７】化粧紙の展開図。
【発明を実施するための形態】
【００１２】
以下、本発明の実施形態の一例にかかる貼箱を、図面を参照しながら説明する。
【００１３】
図１は本実施形態の貼箱本体１の正面図、図２は貼箱本体１の右側面図、図３は貼箱本体１の平面図、図４は貼箱本体１の底面図である。左側面図は右側面図と同様に現れる。背面図は正面図と同様に現れる。点線は半断線を示す。
【００１４】
図１から図４までに示すように、貼箱本体１は、蓋１１と、身１２と、を備える。図１から図４までにおいては、蓋１１の隣接する辺を湾曲させる例を示す。
【００１５】
蓋１１は、天板１１１と、天板１１１の各辺に設けられる第１の半断線１０１Ａを山折りして接続する第１の外側面１０１Ｂと、第１の外側面１０１Ｂの第１の半断線１０１Ａに対抗する辺に設けられる第２の半断線１０２Ａを山折して接続する第２の外側面１０２Ｂと、第２の外側面１０２Ｂの第２の半断線１０２Ａに対抗する辺に設けられる第３の半断線１０３Ａを山折して接続する側壁１０４と、を備える。
【００１６】
天板１１１は、例えば長方形をなし、ほぼ水平である。
【００１７】
第１の半断線１０１Ａ、第２の半断線１０２Ａ、及び第３の半断線１０３Ａは、紙厚の約９０％が切断され、残りの部分はつながっている。
【００１８】
第１の外側面１０１Ｂは、天板１１１に対して９０°より小さい角度にて下方に傾斜する。隣接する第１の外側面１０１Ｂの間は切断される。
【００１９】
第２の外側面１０２Ｂは、第１の外側面１０１Ｂに対して９０°より小さい角度にて下方に傾斜する。隣接する第２の外側面１０２Ｂの間は切断される。
【００２０】
側壁１０４は、床面に対して略垂直に設けられる。隣接する側壁１０４は粘着テープなどの接続部材によって接続される。
【００２１】
図５は、蓋１１の展開図、図６は、図５のＡの部分の拡大図である。図５及び図６に示すように、隣接する第１の外側面１０１Ｂの間及び隣接する第２の外側面１０２Ｂの間には切り込み１１０が設けられる。切り込み１１０は紙の厚さ方向に切断される。
【００２２】
第１の半断線１０１Ａは、天板１１１の各辺に設けられる。第１の外側面１０１Ｂは第１の半断線１０１Ａの外側に所定の間隔をあけて天板１１１を周回するように設けられる。
【００２３】
第２の半断線１０２Ａは、第１の半断線１０１Ａの外側に所定の間隔をあけて設けられる。
【００２４】
図６に示すように、隣接する第１の外側面１０１Ｂの幅Ｗ１４は互いに等しい。また、隣接する第２の外側面１０２Ｂの幅Ｗ１３は互いに等しい。隣接する側壁１０４の幅Ｗ１１も互いに等しい。
【００２５】
隣接する側壁１０４の辺のうち、組み立てたときに互いに接触する端辺１０４Ａは、接触する相手側の第３の半断線１０３Ａから、第２の外側面１０２Ｂの幅Ｗ１３の半分のオフセット幅Ｗ１２だけ離間して設けられる。
【００２６】
紙厚が１ｍｍの場合、第２の外側面１０２Ｂの幅Ｗ１３は３ｍｍ、オフセット幅Ｗ１２は１．５ｍｍが、組み立てたときにより自然の湾曲を描く点から望ましい。
【００２７】
切り込み１１０は、隣接する第１の半断線１０１Ａの第１接点Ｓ１から隣接する第２の半断線１０２Ａの第２接点Ｓ２を通り、一方の側壁１０４の第２接点Ｓ２に直近の頂点Ｓ３に至る直線の中点Ｓ４に至る。
【００２８】
他方の側壁１０４の第２の外側面１０２Ｂの端辺Ｓ５は、他方の側壁１０４の端辺１０４Ａと他方の側壁１０４の第３の半断線１０３Ａの交点から中点Ｓ４に至る。このように展開図を構成すると、隣接する第２の外側面１０２Ｂのうち一方の第２の外側面１０２Ｂは、他方の第２の外側面１０２Ｂに接触する辺に閉塞片１０６を有する。
【００２９】
従って、この閉塞片１０６によって、組み立てたときに第２の外側面１０２Ｂ同士の接続部分に穴が開くことを避けることができる。
【００３０】
図７は、化粧紙２の展開図である。本実施形態の貼箱は、貼箱本体１に化粧紙２が貼付される。化粧紙２は貼箱本体１の表面に貼付され、裏面の一部に折り返し部２０４Ｂが貼付される。図７に示すように、化粧紙２は、天板１１１に貼付される天板部２１１と、側壁１０４に折り返して貼付される折り返し部２０４Ｂを有し、側壁１０４に貼付される側壁部２０４と、隣接する側壁部２０４の一方の辺に設けられるカバー部２０４Ａと、を備える。
【００３１】
カバー部２０４Ａは、隣接する第１の外側面１０１Ｂの間及び隣接する第２の外側面１０２Ｂの接続部分を被覆し、見た目を美しく仕上げる。
【００３２】
なお、本実施形態においては、第１の外側面１０１Ｂと第２の外側面１０２Ｂとを有する貼箱本体１の例を示したが、貼箱本体１は、第１の外側面１０１Ｂのみを有していても、或いは第２の外側面１０２Ｂの外側に第３の外側面を備えていてもよい。つまり半断線の本数に制限はない。
【００３３】
また、天板の形状は三角形であっても、多角形であってもよい。
【００３４】
以上述べたように、貼箱は、天板１１１と、天板１１１の各辺に設けられる第１の半断線１０１Ａを介して接続する第１の外側面１０１Ｂと、第１の外側面１０１Ｂの第１の半断線１０１Ａに対抗する辺に設けられる第２の半断線１０２Ａを介して接続する第２の外側面１０２Ｂと、第２の外側面１０２Ｂの第２の半断線１０２Ａに対抗する辺に設けられる第３の半断線１０３Ａを介して接続する側壁１０４と、を備える貼箱本体１と、貼箱本体１に貼付される化粧紙２と、を備える。
【００３５】
従って、隣接する辺を湾曲させた美しい貼箱を提供することができるという効果がある。
【符号の説明】
【００３６】
１  貼箱本体
２  化粧紙
１１  蓋
１２  身
１０１Ａ  第１の半断線
１０１Ｂ  第１の外側面
１０２Ａ  第２の半断線
１０２Ｂ  第２の外側面
１０３Ａ  第３の半断線
１０４  側壁
１０４Ａ  端辺
１０６  閉塞片
１１１  天板
２０４  側壁部
２０４Ａ  カバー部
２０４Ｂ  部
２１１  天板部
Ｓ１  第１接点
Ｓ２  第２接点
Ｓ３  頂点
Ｓ４  中点
Ｓ５  端辺
【図１】
2018020827.tif 000003
【図２】
2018020827.tif 000004
【図３】
2018020827.tif 000005
【図４】
2018020827.tif 000006
【図５】
2018020827.tif 000007
【図６】
2018020827.tif 000008
【図７】
2018020827.tif 000009